(57)【要約】      （修正有）【課題】河川の工事区間の流水の汚濁を防止する。【解決手段】迂回させる河川水を一時的に貯留させて水の汚れを濾過させる流路を用いる。貯留型経路は、断面略コ字状の流路ユニット１０を接続させて適宜形状の流路を形成する場合がある。適宜箇所に、回動自在の二枚のネットパネル材でフィルター材を挟み込んだ水質浄化フィルター３３を装着する。止水板によって流路全体がひとつの貯水構造を呈し、汚濁成分の沈殿と、水質浄化フィルターによる強制的な濾過作用により、工事区間の下流にきれいな水を排出することが出来る。ユニットを用いる場合は組立や撤去も容易である。【選択図】図１
0003110665.tif 000002
【実用新案登録請求の範囲】
【請求項１】
ポンプで汲み上げた河川水を迂回させるための装置であって、
始点と終点に止水板を備える断面略コ字状の貯水型経路と、貯水型経路内に配した水質改善フィルターとを備えることを特徴とする河川工事用の汚濁防止装置。
【請求項２】
貯水型経路は複数の流路ユニットを接続させてなり、
当該流路ユニットは、
金属製の凹凸パネル材を用いた底板と、金属製の凹凸パネル材を用いた左右の側板とを備え、
側板を、蝶番を介して収納展開可能に底板に固定するとともに、
展開時における側板の角度を維持させる連結部材を装着可能とする一方、
底板および側板の端部に、同一または異種の流路ユニットを固定金具を介して連結させることができる連結部を備えることを特徴とする請求項１記載の河川工事用の汚濁防止装置。
【請求項３】
連結部材は、側板の基端部と側板の上部に設け、
基端部の連結部材は、底板の端部に設けた孔または内部中空部材と、少なくとも一方の側板の内側に設けた内部中空部材とに棒状部材を挿通させるものであり、
上部に設ける連結部材は、対向する側板の上部に掛け渡したブリッジ材であることを特徴とする請求項２記載の河川工事用の汚濁防止装置。
【請求項４】
請求項１記載の水質改善フィルターのケース体であって、
ヒンジを介して開閉動可能に連結した二枚のネットパネル材と、
ケース体の内部に装填するフィルター材の流出を防止するフランジを備えることを特徴とするケース体。
【考案の詳細な説明】
【技術分野】
【０００１】
本考案は、河川工事の際に河川水を迂回させる流路の構造に係り、とくにポンプによって汲み上げた水の汚濁を浄化して河川に戻すための汚濁防止装置の構造関する。
【背景技術】
【０００２】
堤防、護岸、水制、床止め、堰、水門等の各種の河川工事では、河川の流水を必要に応じて迂回させる処理が必要となる。
【０００３】
従来、このような工事では、排水ポンプと排水ホースを用い、適宜の箇所から水をくみ出して排水ホースに河川水を送り込み、適宜の場所まで水を移動させていた。
【特許文献１】特開平１１−３１０９０９号
【特許文献２】特開２０００−１０８７７１号
【特許文献３】特開２００１−３０３６５２号
【考案の開示】
【考案が解決しようとする課題】
【０００４】
問題は、排水ホースを使って水を圧送する従来の方式では、ポンプによって強制的に汲み上げた汚濁した流水をそのまま河川に戻すため、工事区間の近隣、とくに下流側の河川の汚濁がはなはだしいという点にある。
【０００５】
河川水を汲み上げるポンプは、吸引能力を高めることが要求されるため、河川に戻す水質が劣化しても従来はとくに問題視されなかったが、環境保全の必要に対する近時の社会的意識の高まりとともに、河川工事に伴う流水の汚濁は、当該河川に生息する魚や微生物などの生態系に著しいダメージを与える可能性があるなどの指摘が生じやすい。
【０００６】
そこで、本考案の目的は、河川の工事区間の近隣における流水の汚濁を確実に防止可能とする点にある。
【課題を解決するための手段】
【０００７】
前記目的を達成するため、請求項１に係る河川工事用の汚濁防止装置は、ポンプによって汲み上げた水を止水板をもった貯水型経路を通して河川に戻すものであって、水の浄化効率を上げるための水質改善フィルターを貯水型経路に配するものである。
【０００８】
かかる構成によれば、浄化装置の始点と終点にある止水板によって流路全体がひとつの貯水構造を呈し、流水に含まれる土粒等の汚濁成分を沈殿させるとともに、水質改善フィルターによって水質を良好に改善した上で下流に排出する。水質改善フィルターを配するため、ポンプによって強制的に大量の水を送り込んだ場合でも沈殿を待たずに浄化された水を河川に戻すことが可能となる。
【０００９】
請求項２に係る河川工事用の汚濁防止装置は、貯水型経路を流路ユニットによって構成する場合である。流路ユニットは、組立と撤去が容易な構造とすることが望ましく、また十分な剛性を備えることが望ましい。このため、流路ユニットは、金属製の凹凸パネル材を用いた底板と、金属製の凹凸パネル材を用いた左右の側板とを備え、側板を、蝶番を介して収納展開可能に底板に固定する。
【００１０】
かかる構成によれば、例えば耐加重性に優れるデッキプレート等のパネル材を用いて現場で簡単に組み立てが出来る流路ユニットを用いつつ、設計図面に則した流路を迅速に構築することが出来る。蝶番を利用した折り畳み可能なユニットとなるため、解体と撤去も容易である。
【００１１】
請求項３に係る河川工事用の汚濁防止装置は、側板の強度保証に関する。側板を略垂直に支持する連結部材は、側板の基端部と側板の上部に設け、基端部の連結部材は、底板の端部に設けた孔または内部中空部材と、少なくとも一方の側板の内側に設けた内部中空部材とに棒状部材を挿通させるものであり、上部に設ける連結部材は、対向する側板の上部に掛け渡したブリッジ材とする。
【００１２】
かかる構成によれば、折り畳み可能な側板を、棒状部材とブリッジ材によって略垂直な状態に容易に支持できる。構成が簡易であるから、破損や故障に起因するメンテナンスの必要性の発生確率もきわめて低い。
【００１３】
請求項４は、水質改善フィルターを、ヒンジを介して開閉動可能に連結した二枚のネットパネル材と、ケース体の内部に装填するフィルター材の流出を防止するフランジ（突起または翼板）を備えるよう構成するものである。
【００１４】
かかる構成によれば、まちまちの大きさに成形されている各種のフィルター材を、二枚のネットパネル材の間に挟み込んで使用することが可能となる。このため、フィルター材の大きさや形状に関係なく、どのようなタイプのフィルター材でも使用可能となり、用途や経済性に合わせて合目的的なフィルター選択が可能となる。二枚のネットパネル材の間に挟み込んでフィルターを使用するため装着と交換が容易であり、また、フィルターの流出防止用のフランジを設けてあるため、ポンプの稼働性能を高めて流速が速くなったような場合でも、フィルター材の脱落や流出を防止でき、信頼性の高い装置構成とすることが出来る。
【考案の効果】
【００１５】
本考案に係る河川工事用の汚濁防止装置によれば、ポンプの吸引に伴う流水中の汚濁成分を沈殿濾過できるだけでなく、水質改善フィルターによって水質を良好に改善した上で下流に排出するため、河川の工事区間の近隣における流水の汚濁を確実に防止できる。流路ユニットを用いて浄化装置を形成すれば、構築と撤去は簡単であり、従来装置と較べても工期の遅延は生じない。また、開閉道可能な二枚のネットパネル材によってフィルター材を挟み込んで使用する場合は、大きさや形状がまちまちである各種のフィルター材を選択しよう出来る利点があり、河川の水質環境等に応じた最適の水質浄化が可能となる。
【考案を実施するための最良の形態】
【００１６】
図１は、本考案に係る浄化装置を例示するものである。この浄化装置は、組立式の流路ユニット１０を用いて工事区間の河川流水を迂回させる貯水型経路を構成する。組立式の流路ユニット１０は、例えば直線ラインの構築に使用する。適宜箇所に湾曲ユニットをはさみ、自由なラインで設計してもよい。また、貯水型経路内には、適宜箇所に水質改善フィルター３３を設ける。
【００１７】
この水質改善フィルター３３は、例えば図２に示すように、ヒンジ３４を介して開閉動可能に連結した二枚のネットパネル材３５の間にフィルター材を挟み込むものである。フィルター材としては、例えば、ヤシガラ活性炭やココナツ繊維を用いたマット状の成型品や袋状の成型品を使用する。３６は、ネットの強度保証のための補強骨材、３７は、フィルター材の流出防止用のフランジである。ネットパネル材３５部分は、金属または樹脂被覆金属によって構成することができる。補強骨材３６は、ネットパネル材３５の大きさや使用環境等に応じて適当本数を配置する。
【００１８】
フィルター材は、大きさも形状もまちまちであって素材によって性能も異なるが、開閉動可能に連結した二枚のネットパネル材３５の間に挟み込むことによって、大きさや形状がどのようなものであっても、適宜選択して自由に使用することが可能となる。貯水型経路の中の水は、ポンプＰによって排出される水量によって流速が速い場合もあるため、最低限、ネットパネル材３５の例えば外周部には流出防止用のフランジ３７を設けて、流速によるフィルター材の流失を防止する。
【００１９】
フランジ３７は、フィルタ−材の流出を防止する突起または翼板であればよい。ネットパネル材３５の外周部に設ける場合は、ヒンジ３４の装着側（開閉基端側）を除く三辺の外周を覆うように設けることが望ましい。ネットパネル材３５の内側にもフィルター材を拘束する突起や流出防止のための仕切フランジを設けてよいことは勿論である。コスト的な不利は生ずるが、ヒンジ３４の装着側（開閉基端側）にもフランジを設けて構わない。
【００２０】
水質改善フィルター３３は、図３に示すように、例えば流路ユニット１０の内壁に設けた断面略コ字状のチャンネル材３８に嵌挿させて装着する。チャンネル材３８を用いて装着するので、着脱が容易であり、水圧による脱落は確実に防止できる。
【００２１】
一方、貯水型経路は、少なくとも始点と終点の流路ユニット１０に、略垂直の止水板２０を配する。止水板２０は、浄化装置の少なくとも始点と終点において水をせき止め、浄化装置の内側に暫時一定量の水を蓄える機能を営む。ポンプによって汲み上げた河川水は、始点の流路ユニット１０に注水するが、終点の流路ユニット１０からは河川に水を戻す。このため、少なくとも終点の流路ユニット１０に設ける止水板２０は、例えば上縁に排水用の凹部２１を設けておくことが望ましい。凹部２１に代えて孔（複数でも良い）を設けても良い。
【００２２】
止水板２０は、始点と終点の流路ユニット１０の端部に設けることが望ましい。始点は水の流れの上流側端部（注水側）、終点は水の流れの下流側端部（排水側）である。もちろん始点と終点の流路ユニット１０の端部ではない箇所に設けても構わないが、貯水による濁水の沈殿濾過作用からいえば始点／終点の端末に設けるのが効率的である。浄化装置の長さによっては、始点と終点以外の浄化装置の適宜箇所に止水板２０を配し、始点と終点の止水板２０にかかる水圧を分散しても良い。
【００２３】
止水板２０を、流路ユニット１０に固定する構造は限定されない。止水板２０は、浄化装置の内部に一定時間水を蓄えるための堰板として機能すればよく、厳密に水密状態を保つ必要もない。従って、例えば上下左右の複数点で、簡単な係合固定を行えば良い。水圧に耐える剛性があり、流路ユニット１０との固定箇所が破壊されにくい構造であればよい。
【００２４】
なお、始点と終点の流路ユニット１０は、着脱不能に固定した止水板２０を備える平面略コ字状のもとして構成しても良い。利便性から云えば、止水板２０は着脱自在としておく方が好ましいが、止水板２０を側板に固定した平面略コ字状のユニット（折り畳みできないもの）であっても、着脱自在の止水板２０を利用した場合と同様に濁水の沈殿濾過効果を得るからである。
【００２５】
次に、流路ユニット１０を説明する。流路ユニット１０は、例えば図４に示すようにデッキプレートを用いた底板１１と、デッキプレートを用いた側板１４、１５からなる。側板１４、１５は、図５にも示すようにそれぞれの基端部に配したヒンジ２４、２５を介して底板１１に回動可能に固定してあり、折り畳み（収納）と立ち上げ（展開）ができるようになっている。６０は連結用のフランジ、６１は、ボルト／ナットやＣ形クリップを使用して同種または異種の流路ユニットと連結するための孔部である。この実施形態ではフランジ６０と孔部６１とによって、隣接する流路ユニット同士を接続させる連結部を構成する場合を示した。
【００２６】
側板１４、１５を展開したときは、流水による側板１４、１５の転倒を防止するため、基端部と上部に連結部材３０、４０を配して、側板１４、１５の角度を一定に保持させる。
【００２７】
基端部に配する連結部材３０は、例えば、片側の側板１４の基端部に配した筒状の装着ホルダ１７と、底板１１の端部に配した筒状の装着ホルダ１２に挿通させ、側板１４の基端部と底板１１の端部とを連結する。この連結部材３０は、略垂直に上下に並設した二つの装着ホルダ１２、１７に簡単に挿通できるよう、略棒状の外観形状を呈し、上部には把手（図示せず）を備える。
【００２８】
上部に配する連結部材（ブリッジ材）４０は、例えば、棒状部材であり、少なくとも側板１４、１５の略中央部に掛け渡すことができるよう、その端部に適宜の固定部を備える。固定部１８は、例えば、略垂直に折曲形成するだけでもよい。当該折曲部分を、側板１４、１５の例えば上端面の孔に挿入するだけでも、側板１４、１５の離隔距離を一定に保ち、側板１４、１５の転倒を防止するからである。もちろん固定部は、ボルト等の固定金具によって締め固定できるよう螺条を成形してあってもよい。
【００２９】
なお、側板１４、１５の上部に配する連結部材（ブリッジ材）４０は、上端からやや下にさがった位置に配することもある。このような場合は、例えば連結部材４０の両端にボルト装着用のネジ山を切っておき、側板１４、１５の外側からボルトによって締め固定することが望ましい。
【００３０】
このように側板１４、１５の上部に連結部材（ブリッジ材）４０を掛け渡すため、側板（１４、１５）の基端部に配する連結部材３０は、片側（１４）だけに設ければ十分である。折り畳んだときに上側となる片側の側板１４に二つの装着ホルダ１２、１７を設けておき、この側板１４を立ち上げて装着ホルダ１２、１７に棒状の連結部材３０を挿通すれば、側板１４を仮止めし転倒を防止できる。この状態で他方の側板１５を立ち上げ、手で押さえたまま両方の側板１４、１５の上部に連結部材４０を掛け渡せばよい。連結部材４０が、引っ張りに強い材質（金属、樹脂、木製）であれば、流水を流したときにも側板１４、１５の角度を一定に保ち、流路ユニット１０の機能を維持せしめる。
【００３１】
側板１４、１５を展開したとき、ヒンジ２４、２５を取り付けた部分、つまり側板１４、１５の下端と底板１１の左右両端との間にはほとんど隙間はない。しかし水を流したときには漏水する可能性を否定できないため、底板１１と側板１４、１５が連結する部分には適宜の防水シールの処理を施すことが望ましい。また、流路ユニット１０の下流側または上流側に接続させる同種または異種の流路ユニットとの接続部にも防水処理を行うことが望ましい。防水処理は、非透水性の粘着テープ（防水テープ）を貼るだけでよいから、簡単な作業で済む。
【００３２】
底面１１および側板１４、１５に使用するデッキプレートは、一般に建築物の床面等に使用されるものであり、表面に各種の凹凸パターンが形成され、耐加重性に優れる。河川の水を迂回させる流路ユニット１０の場合は、底面１１にも側板１４、１５にも、それほど大きな加重がかかるわけではない。しかしながら、これらを折り畳んで搬送したり保管するときには、多数の流路ユニット１０を積み上げることが予想されることから、耐加重性に優れるデッキプレートを使用することが望ましいわけである。
【００３３】
とはいえ、人手による展開／収納を考慮すれば、側板１４、１５は、できるだけ軽量のものを使用することが望まれる。また、底板１１には、河川流水に混じって砂利や小石が流れ込み、工事の最中に大雨があればかなり大型の石も流れ込む可能性があることから、ある程度の耐衝撃性を考慮することが望まれる。このため、本実施形態においては、底面１１には、凸部の幅が大きなデッキプレートを使用して凸部の破損を抑制する一方、側板１４、１５には、凸部の幅が小さく軽量なデッキプレートを使用する場合を例にとって図示した。
【００３４】
この流路ユニット１０は、例えば図６に示すように、適当箇所に湾曲ユニット４８を挟んで連結しても良い。湾曲ユニット４８は、必ずしも折り畳みができる構造とする必要はない。小型のものでよいので予め組み立ててある完成ユニットを使用してもよいし、使用個数も限られているので現場で組み立ててもよいからである。流路ユニット１０は、傾斜地では、例えば図７に示すように、上下段に組み上げて落差工のような機能を営ませることも出来る。５０は、上段の流路の端部に設けて水を下に落とすためのフード型ユニットである。先端に遮蔽壁５１を設けておけば、流水速度が早まったときでも確実に水を下の流路ユニット１０に落とすことが出来る。フード型ユニットも、折り畳み型のものを使用する必要はない。
【００３５】
隣接する同種または異種の流路ユニットと連結するときは、端部のフランジの孔部（連結部）にボルトを挿通してナットによって締めるか、あるいはＣ形クリップによって引っかけて連結状態を保つ。連結部は、リング状（環状）のものであってもよい。
【００３６】
かかる構成の流路ユニット１０を使用すれば、工事区間の河川水を貯留しながら河川に戻すことが出来るので、排水ポンプを利用して強制的に河川水を汲み上げたような場合でも、貯留時の沈殿濾過によって河川に戻される水の清浄を十分に保証することが可能となる。
【００３７】
また、流路ユニット１０の展開／収納は容易であり、作業者一人でも展開／収納を行うことが出来るので、少人数の作業スタッフによっても速やかに河川の浄化装置を作り、また撤収することが出来る。従来のホースと異なり、砂や砂利の目詰まりによる作業中断等の問題も生じない。
【００３８】
適宜箇所、例えば、河川から水を取り入れる始点部分や終点部分、あるいは貯留経路中の中間部分には、流れてくるゴミを除去し、または水の成分を活性化するためのフィルター（濾過材；金網、格子、編目の小さなネット等）を配してもよい。水の成分を活性化（浄化）するためのフィルター（濾過材）としては、例えば、炭、ヤシガラ活性炭、ココナツ繊維、セラミックス繊維などを用いた周知の浄化フィルターを利用することが出来る。連結部材３０、４０の数、孔部６０の数は限定されない。
【図面の簡単な説明】
【００３９】
【図１】本考案に係る汚濁防止装置を例示する斜視図である。
【図２】本考案に係る水質改善フィルターのケース体を例示する斜視図である。
【図３】本考案に係る水質改善フィルターの装着例を示す図である。
【図４】本考案に係る流路ユニットを例示する図である。
【図５】本考案に係る流路ユニットを折り畳む場合を例示する図である。
【図６】本考案に係る流路ユニットを連結させた状態を例示する平面図である。
【図７】本考案に係る流路ユニットを上下に配する場合を例示する図である。
【符号の説明】
【００４０】
１０  流路ユニット
１１  底板
１４、１５  側板
２０  止水板
２４、２５  ヒンジ
３０、４０  連結部材
１２、１７  装着ホルダ
１８  固定部
３３  水質改善フィルター
３４  ヒンジ
３５  ネットパネル材
３６  補強骨材
３７  フランジ
４８  湾曲ユニット
５０  フード型ユニット
５１  遮蔽壁
５５  取水用パネル
６０  フランジ（連結部）
６１  孔部（連結部）
【図１】
0003110665.tif 000003
【図２】
0003110665.tif 000004
【図３】
0003110665.tif 000005
【図４】
0003110665.tif 000006
【図５】
0003110665.tif 000007
【図６】
0003110665.tif 000008
【図７】
0003110665.tif 000009